(57)【要約】      （修正有）【課題】回転速度とトルクを拡大でき、最大出力を達成できるブラシレス薄型モーターを提供する。【解決手段】ブラシレス薄型モーターは、殻体１０、軸心２０、センシング回路基板３０、コイルユニット４０、２個の磁石ユニット５０、センシング磁石６０を有する。センシング回路基板３０は、感知部材を有する。コイルユニットの数個のコイルは、センシング回路基板３０に電気的に連接する。磁石ユニット５０は２個の磁石５１を有する。磁石５１はコイル４１の上、下方にそれぞれ配置される。センシング磁石６０は磁石ユニット５０に配置され、且つセンシング回路基板３０の感知部材に対応する。上、下、左、右に２組の磁石５１を形成し、２組の磁石５１の正、負極を相互に反応させ、磁場を増強し、給電時に強大な磁場を生じ、且つ上、下磁石５１の多数組の正、負極は、瞬間的な反発を生じ、回転速度とトルクを増進し、最大の出力を達成することができる。【選択図】図２
0003196198.tif 000002
【実用新案登録請求の範囲】
【請求項１】
ブラシレス薄型モーターは、殻体、軸心、センシング回路基板、コイルユニット、２個の磁石ユニット、センシング磁石を有するブラシレス薄型モーターであって、
前記軸心は、前記殻体に配置され、
前記センシング回路基板は、前記殻体中に配置され、前記センシング回路基板は、感知部材を有し、
前記コイルユニットは、複数のコイル、コイル載体を有し、前記コイルは、前記コイル載体に設置され、前記コイルは、前記センシング回路基板に電気的に連接し、
前記磁石ユニットは、２個の磁石、２個の磁石載体を有し、前記磁石は、前記コイルユニットのコイルの上、下方にそれぞれ配置され、前記磁石は、前記磁石載体に設置され、前記磁石載体は、軸心に連接され、
前記センシング磁石は、前記磁石ユニットの内の一つに配置され、前記センシング磁石は、前記センシング回路基板の感知部材に対応することを特徴とするブラシレス薄型モーター。
【請求項２】
前記殻体は、上殻、下殻を組み合わせて形成されることを特徴とする請求項１に記載のブラシレス薄型モーター。
【請求項３】
前記軸心は、前記殻体に通して設置し、前記軸心、前記殻体の間には、ベアリングを有することを特徴とする請求項１に記載のブラシレス薄型モーター。
【請求項４】
前記軸心は、前記磁石ユニットの磁石載体に通して設置し、
前記軸心、前記磁石載体間には、固定台を有することを特徴とする請求項１に記載のブラシレス薄型モーター。
【考案の詳細な説明】
【技術分野】
【０００１】
本考案はモーターに関し、特に回転速度とトルクを拡大でき、最大出力を達成できるブラシレス薄型モーターに関する。
【背景技術】
【０００２】
モーターは種類が多いため、ここでは一つ一つ紹介することはしないが、それはおおよそ固定子とローターにより組成する。固定子は、モーターのケース内に固定され、ローターは回転軸により支えられ、固定子と適当な距離を隔てる。固定子上のコイルに通電すると磁場を生じ、その磁場が、ローター上に設置する磁石の磁力が反発し合うことで、ローターは回転し、動力を出力する。これがモーターの基本的な作動方式である。
【０００３】
現在多くの電子製品では、コンパクト化が求められている。そのため、電子製品内部に取り付けるパーツも、微小化が喫緊の課題である。もちろん、モーターも縮小化が要求されているが、既存の駆動力を喪失することは許されない。この状況に対応し、たくさんの薄型モーターが開発されている。そして、薄型モーターの出力、効率をいかにして効果的に向上させるかは、業界が取り組んでいる課題である。
【０００４】
特許文献１に開示する「超薄型モーター構造」は、モーター固定子部、モーターローター部を有する。モーター固定子部は、少なくとも内孔ベアリング、底台、ワインディング薄板を有する。底台には、凸部、及び搭載部を有する。ベアリングは、凸部内に設置する。ワインディング薄板は、搭載部の上に重ねて設置し、且つワインディング薄板は、電鋳プロセス、或いはエッチングプロセスで形成する複数のコイルを有する。さらに、モーターローター部は、モーター固定子部の上に設置され、心軸、上蓋、永久磁石リングを有する。心軸は、ベアリングの内孔に固定するように設置される。永久磁石リングは、ワインディング薄板上に設置され、上蓋をその上に搭載する。
【０００５】
特許文献１のワインディング薄板は、電鋳プロセス、或いはエッチングプロセスで形成する複数のコイルを有するが、それには以下のような欠点が存在する。
1.すべてのモーターが用いるコイルは、エナメル線である。その目的は、電流を逐一流すことでショートを防ぎ、これにより磁場を生じる時、電鋳プロセス、或いはエッチングプロセスでショートが発生することを防ぐ。いかにして磁場を発生するかが問題である。
2.いつ、どのようにして給電し、いかにして正極と負極とを反発させ、起動させるかが課題である。
3.電鋳プロセス、或いはエッチングプロセスによるコイル製造は、効率に限界がある。
【０００６】
特許文献２に開示する「薄型モーター」は、ベース、ローターユニット、駆動ユニットを有する。駆動ユニットは、ベースとローターユニットとの間に設置する回路基板、ローターユニットの磁石リングと対応し間隔を開けて回路基板に埋設する多数のセンシングコイル、センシングコイルと間隔を開けて回路基板に設置される感知部材、ベース底に設置され且つその頂点面に露出しない定位部材を有する。
【０００７】
しかし、特許文献２には、以下の欠点が存在する。
1.未露出のセンシングコイルをいかにして排列するかは問題である。感知部材はあるが、未露出であるため、いかにして感知するかは問題である。
2.給電が未掲示である時に、反発原理が必要である。
3.センシングコイルの長さは、モーターの出力、回転数、トルクに影響を及ぼす。
【先行技術文献】
【特許文献】
【０００８】
【特許文献１】台湾特許第Ｉ３０３１２２号明細書。
【特許文献２】台湾特許第２０１３０６４４５号明細書。
【考案の概要】
【考案が解決しようとする課題】
【０００９】
しかし、上述した発明は使用上に欠点があり、改善する必要がある。その原因は下記の通りである。
【００１０】
特許文献１の欠点は以下の通りである。すべてのモーターが用いるコイルは、エナメル線である。その目的は、電流を逐一流すことでショートを防ぎ、これにより磁場を生じる時、電鋳プロセス、或いはエッチングプロセスでショートが発生することを防ぐ。いかにして磁場を発生するかが問題である。いつ、どのようにして給電し、いかにして正極と負極とを反発させ、起動させるかが課題である。電鋳プロセス、或いはエッチングプロセスによるコイル製造は、効率に限界がある。
【００１１】
特許文献２の欠点は以下の通りである。未露出のセンシングコイルをいかにして排列するかは問題である。感知部材はあるが、未露出であるため、いかにして感知するかは問題である。給電が未掲示である時に、反発原理が必要である。センシングコイルの長さは、モーターの出力、回転数、トルクに影響を及ぼす。
【００１２】
本考案は、上述の問題に鑑みてなされたものであり、その目的は、２組の磁石の正、負極が相互に感知することで、給電時には強大な磁場を発生し、且つ上、下磁石の多数組の正、負極は瞬間的な反発を生じ、回転速度とトルクを拡大し、最大の出力を達成し、センシングコイルの正、負極とセンシング回路基板の感知部材が相互に対応することで、電子感知給電を形成し、これにより磁場を生じる瞬間を違えることができるブラシレス薄型モーターを提供することにある。
【課題を解決するための手段】
【００１３】
本考案によるブラシレス薄型モーターは、殻体、軸心、センシング回路基板、コイルユニット、２個の磁石ユニット、センシング磁石を有するブラシレス薄型モーターである。
【００１４】
該軸心は、該殻体に配置される。
該センシング回路基板は、該殻体中に配置され、該センシング回路基板は、感知部材を有する。
該コイルユニットは、複数のコイル、コイル載体を有し、該コイルは、該コイル載体に設置され、該コイルは、該センシング回路基板に電気的に連接する。
該磁石ユニットは、２個の磁石、２個の磁石載体を有し、該磁石は、該コイルユニットのコイルの上、下方にそれぞれ配置され、該磁石は、該磁石載体に設置され、該磁石載体は、軸心に連接される。
該センシング磁石は、該磁石ユニットの内の一つに配置され、該センシング磁石は、該センシング回路基板の感知部材に対応する。
【００１５】
上、下、左、右に２組の磁石を形成し、２組の磁石の正、負極を相互に反応させ、磁場を増強する。こうして、給電時に強大な磁場を生じ、且つ上、下磁石の多数組の正、負極は、瞬間的な反発を生じ、回転速度とトルクを増進し、最大の出力を達成することができる。センシング磁石の正、負極とセンシング回路基板の感知部材が相互に対応することで、電子探知給電を形成し、コイルを回転させいつ給電するかをコントロールし、こうして磁場を生じる瞬間を違えることができる。
【考案の効果】
【００１６】
上記を総合すると、本考案は、上、下、左、右に２組の磁石を形成し、２組の磁石の正、負極を相互に反応させ、磁場を増強する。こうして、給電時に強大な磁場を生じ、且つ上、下磁石の多数組の正、負極は、瞬間的な反発を生じ、回転速度とトルクを増進し、最大の出力を達成することができる。センシング磁石の正、負極とセンシング回路基板の感知部材が相互に対応することで、電子探知給電を形成し、コイルを回転させいつ給電するかをコントロールし、こうして磁場を生じる瞬間を違えることができる。
【図面の簡単な説明】
【００１７】
【図１】本考案の立体図である。
【図２】本考案の分解図である。
【図３】本考案の組み合わせ断面図である。
【考案を実施するための形態】
【００１８】
［実施例１］
本考案の一実施形態によるブラシレス薄型モーターを図面に基づいて説明する。図１、図２、及び図３に示すとおり、本考案の一実施形態によるブラシレス薄型モーターは、殻体１０、軸心２０、センシング回路基板３０、コイルユニット４０、２個の磁石ユニット５０、センシング磁石６０を有する。
【００１９】
軸心２０は、殻体１０に配置される。
【００２０】
センシング回路基板３０は、殻体１０中に配置される。センシング回路基板は、感知部材（図示なし）を有する。
【００２１】
コイルユニット４０は、複数のコイル４１、コイル載体４２を有する。コイル４１は、コイル載体４２に設置され、コイル４１は、センシング回路基板３０に電気的に連接する。
【００２２】
磁石ユニット５０は、２個の磁石５１、２個の磁石載体５２を有する。磁石５１は、コイルユニット４０のコイル４１の上、下方にそれぞれ配置される。磁石５１は、磁石載体５２に設置される。磁石載体５２は、軸心２０に連接される。
【００２３】
センシング磁石６０は、磁石ユニット５０の内の一つに配置される。本実施形態のセンシング磁石６０は、コイルユニット４０下方の磁石ユニット５０に設置される。センシング磁石６０は、センシング回路基板３０の感知部材に対応する。
【００２４】
上記した構造において、本考案のブラシレス薄型モーター中の上、下、左、右には、２組の磁石５１を形成する。２組の磁石５１の正、負極は、相互に反応し、これにより磁場を増強することができ、給電時には、強大な磁場を生じる。且つ、上、下磁石５１の多数組の正、負極は、瞬間的反発を生じ、回転速度とトルクを増進し、こうして、最大の出力を達成することができる。センシング磁石６０の正、負極とセンシング回路基板３０の感知部材とが相互に対応することで、電子探知給電を形成し、コイル４１を回転させいつ給電するかをコントロールし、こうして磁場を生じる瞬間を違えることができる。
【００２５】
一構造実施形態では、殻体１０は、上殻１１、下殻１２を組み合わせて形成し、これにより殻体１０内に本考案の構成部材を配置することができる。
【００２６】
一構造実施形態では、軸心２０は、殻体１０に通して設置し、軸心２０、殻体１０の間には、ベアリング２１を有する。これにより、軸心２０を支えて固定し、軸心２０の回転による磨耗を低減し、軸心２０の回転のスムーズ性を増進することができる。
【００２７】
一構造実施形態では、軸心２０は、磁石ユニット５０の磁石載体５２に通して設置する。軸心２０、磁石載体５２間には、固定台５３を有する。これにより、軸心２０、磁石載体５２を固定して連接する。
【００２８】
本考案と従来のブラシレスドラム式モーターとの差異は、以下のとおりである。従来のブラシレスドラム式モーターは、磁石を回転の円周面に設置するが、本考案では、磁石を回転面の両側に配置する。
【００２９】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００３０】
１０  殻体
１１  上殻
１２  下殻
２０  軸心
２１  ベアリング
３０  センシング回路基板
４０  コイルユニット
４１  コイル
４２  コイル載体
５０  磁石ユニット
５１  磁石
５２  磁石載体
５３  固定台
６０  センシング磁石
【図１】
0003196198.tif 000003
【図２】
0003196198.tif 000004
【図３】
0003196198.tif 000005